【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
一連の処理が記述されたプロセス定義チケットの記述内容に従ってデータ処理を実行するデータ処理装置であって、
前記プロセス定義チケットを取得する取得手段と、
前記プロセス定義チケットが前記データ処理装置において実行可能か否かを判定する判定手段と、
前記判定手段による判定の結果、前記データ処理装置において実行可能であると判定された前記プロセス定義チケットを、実行可能であることが識別できるように表示する表示手段と、
前記表示手段により表示された前記プロセス定義チケットの選択を受け付ける選択受付手段と、
前記選択受付手段により受け付けられた前記プロセス定義チケットの記述内容に従ってデータ処理を実行する実行手段と
を備えることを特徴とするデータ処理装置。
【請求項２】
前記表示手段は、前記データ処理装置において実行可能であると判定された前記プロセス定義チケットと、前記データ処理装置において実行不可能であると判定された前記プロセス定義チケットとを区別して表示することを特徴とする請求項１に記載のデータ処理装置。
【請求項３】
前記データ処理装置において実行不可能と判定されたプロセス定義チケットが選択された場合に、ユーザが当該プロセス定義チケットを編集するための画面を表示する第２の表示手段を、更に備えることを特徴とする請求項１又は２に記載のデータ処理装置。
【請求項４】
前記表示手段は、
前記第２の表示手段により表示された画面におけるユーザの編集に応じて、当該編集により前記データ処理装置において実行可能であると判定された前記プロセス定義チケットを、前記データ処理装置において実行可能であると判定された前記プロセス定義チケットとして表示することを特徴とする請求項３に記載のデータ処理装置。
【請求項５】
前記判定手段による判定の結果、前記プロセス定義チケットが前記データ処理装置において実行不可能であると判定された場合に、前記プロセス定義チケットがユーザの編集により実行可能となるか否かを判定する第２の判定手段を、更に備え、
前記表示手段は、前記第２の判定手段による判定の結果、当該編集により前記データ処理装置において実行可能となると判定された前記プロセス定義チケットを、当該編集により前記データ処理装置において実行可能となることが識別できるように表示することを特徴とする請求項１乃至４のいずれか一項に記載のデータ処理装置。
【請求項６】
前記第２の判定手段は、予め定められた前記ユーザの権限に基づいて、前記プロセス定義チケットがユーザの編集により実行可能となるか否かを判定することを特徴とする請求項５に記載のデータ処理装置。
【請求項７】
前記判定手段による判定の結果、前記プロセス定義チケットが前記データ処理装置において実行不可能であると判定された場合に、前記データ処理装置の現在の性能を示す情報を取得し、当該情報に基づいて、再度、前記プロセス定義チケットが前記データ処理装置において実行可能か否かを判定する第３の判定手段を、更に備えることを特徴とする請求項１乃至６のいずれか１項に記載のデータ処理装置。
【請求項８】
一連の処理が記述されたプロセス定義チケットの記述内容に従ってデータ処理を実行するデータ処理装置において実行されるデータ処理方法であって、
前記データ処理装置の取得手段が、前記プロセス定義チケットを取得する取得工程と、
前記データ処理装置の判定手段が、前記プロセス定義チケットが前記データ処理装置において実行可能か否かを判定する判定工程と、
前記データ処理装置の表示手段が、前記判定工程における判定の結果、前記データ処理装置において実行可能であると判定された前記プロセス定義チケットを、実行可能であることが識別できるように表示する表示工程と、
前記データ処理装置の選択受付手段が、前記表示工程において表示された前記プロセス定義チケットの選択を受け付ける選択受付工程と、
前記データ処理装置の実行手段が、前記選択受付工程において受け付けられた前記プロセス定義チケットの記述内容に従ってデータ処理を実行する実行工程と
を有することを特徴とするデータ処理方法。
【請求項９】
一連の処理が記述されたプロセス定義チケットの記述内容に従ってデータ処理を実行するためのプログラムであって、
前記プロセス定義チケットを取得する取得手段、
前記プロセス定義チケットが前記データ処理装置において実行可能か否かを判定する判定手段、
前記判定手段による判定の結果、前記データ処理装置において実行可能であると判定された前記プロセス定義チケットを、実行可能であることが識別できるように表示する表示手段、
前記表示手段により表示された前記プロセス定義チケットの選択を受け付ける選択受付手段、
前記選択受付手段により受け付けられた前記プロセス定義チケットの記述内容に従ってデータ処理を実行する実行手段、
としてコンピュータを機能させることを特徴とするプログラム。
【請求項１０】
データ処理装置と情報処理装置とを含むデータ処理システムであって、
前記データ処理装置は、
一連の処理が記述されたプロセス定義チケットを取得する取得手段と、
前記プロセス定義チケットが前記データ処理装置において実行可能か否かを判定する判定手段と、
前記判定手段による判定の結果、前記データ処理装置において実行可能であると判定された前記プロセス定義チケットを、実行可能であることが識別できるように表示する表示手段と、
前記表示手段により表示された前記プロセス定義チケットの選択を受け付ける選択受付手段と、
前記選択受付手段により受け付けられた前記プロセス定義チケットの記述内容に従ってデータ処理を実行する実行手段と、を備え、
前記情報処理装置は、
前記データ処理装置の性能を示す情報を取得し、前記プロセス定義チケットを生成する生成手段と、
前記プロセス定義チケットが前記データ処理装置において実行可能であることを検証する検証手段と、
前記プロセス定義チケットに、前記検証手段によって検証されたことを示す情報を設定する設定手段と、
前記設定手段によって設定された前記プロセス定義チケットを格納する格納手段と、を備えることを特徴とするデータ処理システム。
【手続補正２】
【補正対象書類名】明細書
【補正対象項目名】００１２
【補正方法】変更
【補正の内容】
【００１２】
上記課題を解決するため、本発明に係るデータ処理装置は、一連の処理が記述されたプロセス定義チケットの記述内容に従ってデータ処理を実行するデータ処理装置であって、
前記プロセス定義チケットを取得する取得手段と、
前記プロセス定義チケットが前記データ処理装置において実行可能か否かを判定する判定手段と、
前記判定手段による判定の結果、前記データ処理装置において実行可能であると判定された前記プロセス定義チケットを、実行可能であることが識別できるように表示する表示手段と、
前記表示手段により表示された前記プロセス定義チケットの選択を受け付ける選択受付手段と、
前記選択受付手段により受け付けられた前記プロセス定義チケットの記述内容に従ってデータ処理を実行する実行手段とを備えることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】